【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
多数発の液滴で１ピクセルを表現できる液体吐出ヘッドの情報保持部に、多値誤差拡散
用の境界値テーブルを選択する情報が吐出条件別に保存されているとき、吐出条件に合致
する情報を前記情報保持部から読み出す選択情報読出部と、
読み出された情報に対応する境界値テーブルを、ハーフトーニング部の参照用に設定す
る境界値テーブル設定部と
を有することを特徴とする境界値テーブル最適化装置。
【請求項２】
多数発の液滴で１ピクセルを表現できる液体吐出ヘッドの情報保持部に、多値誤差拡散
用の一組の境界値が吐出条件別に保存されているとき、吐出条件に合致する一組の境界値
を前記情報保持部から読み出す境界値読出部と、
読み出された一組の境界値に基づいて境界値テーブルを生成する境界値テーブル生成部
と、
生成された境界値テーブルを記憶する境界値テーブル記憶部と、
前記境界値テーブルをハーフトーニング部の参照用に設定する境界値テーブル設定部と
を有することを特徴とする境界値テーブル最適化装置。
【請求項３】
多数発の液滴で１ピクセルを表現できる液体吐出ヘッドの情報保持部に、多値誤差拡散
用の一組の境界値を決定するための情報が吐出条件別に保存されているとき、吐出条件に
合致する情報を前記情報保持部から読み出す境界値決定情報読出部と、
読み出された情報に基づいて多値誤差拡散用の一組の境界値を決定する境界値決定部と
、
決定された一組の境界値に基づいて境界値テーブルを生成する境界値テーブル生成部と
、
生成された境界値テーブルを記憶する境界値テーブル記憶部と、
前記境界値テーブルをハーフトーニング部の参照用に設定する境界値テーブル設定部と
を有することを特徴とする境界値テーブル最適化装置。
【請求項４】
多値誤差拡散用の境界値の決定に使用するテストパターン信号を吐出条件に応じて生成
し、多数発の液滴で１ピクセルを表現できる液体吐出ヘッドを直接駆動するテストパター
ン信号生成部と、
実際に形成されたテストパターンの濃度を光学的に読み取る濃度読取部と、
読み取られた濃度に基づいて選択された又は生成された境界値テーブルをハーフトーニ
ング部の参照用に設定する境界値テーブル設定部と
を有することを特徴とする境界値テーブル最適化装置。
【請求項５】
多数発の液滴で１ピクセルを表現できる液体吐出ヘッドであって、
多値誤差拡散用の境界値テーブルを選択する情報を吐出条件別に保存する情報保持部を
有する
ことを特徴とする液体吐出ヘッド。
【請求項６】
多数発の液滴で１ピクセルを表現できる液体吐出ヘッドであって、
多値誤差拡散用の一組の境界値を吐出条件別に保存する情報保持部を有する
ことを特徴とする液体吐出ヘッド。
【請求項７】
多数発の液滴で１ピクセルを表現できる液体吐出ヘッドであって、
多値誤差拡散用の一組の境界値を決定するための情報を吐出条件別に保存する情報保持
部を有する
ことを特徴とする液体吐出ヘッド。
【請求項８】
多数発の液滴で１ピクセルを表現できる液体吐出ヘッドであって、
多値誤差拡散用の境界値の決定に使用するテストパターン信号を吐出条件に応じて生成
し、前記印刷ヘッドを直接駆動するテストパターン信号生成部
を有することを特徴とする液体吐出ヘッド。
【請求項９】
多数発の液滴で１ピクセルを表現できる液体吐出ヘッドと、
前記液体吐出ヘッドの使用に適した多値誤差拡散用の境界値テーブルを選択する情報を
吐出条件別に保存する情報保持部と、
前記境界値テーブルを選択する情報であって、吐出条件に合致する情報を前記情報保持
部から読み出す選択情報読出部と、
読み出された情報に対応する境界値テーブルを、ハーフトーニング部の参照用に設定す
る境界値テーブル設定部と、
設定された境界値テーブルを参照して入力画像データを多値誤差拡散すると共に、対応
する液滴数に量子化するハーフトーニング部と
を有することを特徴とする液体吐出装置。
【請求項１０】
多数発の液滴で１ピクセルを表現できる液体吐出ヘッドと、
前記液体吐出ヘッドの使用に適した多値誤差拡散用の一組の境界値を吐出条件別に保存
する情報保持部と、
吐出条件に合致する一組の境界値を前記情報保持部から読み出す境界値読出部と、
読み出された一組の境界値に基づいて境界値テーブルを生成する境界値テーブル生成部
と、
生成された境界値テーブルを記憶する境界値テーブル記憶部と、
前記境界値テーブルをハーフトーニング部の参照用に設定する境界値テーブル設定部と
、
設定された境界値テーブルを参照して入力画像データを多値誤差拡散すると共に、対応
する液滴数に量子化するハーフトーニング部と
を有することを特徴とする液体吐出装置。
【請求項１１】
多数発の液滴で１ピクセルを表現できる液体吐出ヘッドと、
前記液体吐出ヘッドの使用に適した多値誤差拡散用の一組の境界値を決定するための情
報を吐出条件別に保存する情報保持部と、
前記一組の境界値を決定するための情報であって、吐出条件に合致する情報を前記情報
保持部から読み出す境界値決定情報読出部と、
読み出された情報に基づいて多値誤差拡散用の一組の境界値を決定する境界値決定部と
、
決定された一組の境界値に基づいて境界値テーブルを生成する境界値テーブル生成部と
、
生成された境界値テーブルを記憶する境界値テーブル記憶部と、
前記境界値テーブルをハーフトーニング部の参照用に設定する境界値テーブル設定部と
、
設定された境界値テーブルを参照して入力画像データを多値誤差拡散すると共に、対応
する液滴数に量子化するハーフトーニング部と
を有することを特徴とする液体吐出装置。
【請求項１２】
多数発の液滴で１ピクセルを表現できる液体吐出ヘッドと、
多値誤差拡散用の境界値の決定に使用するテストパターン信号を吐出条件に応じて生成
し、前記液体吐出ヘッドを直接駆動するテストパターン信号生成部と、
実際に形成されたテストパターンの濃度を光学的に読み取る濃度読取部と、
読み取られた濃度に基づいて選択された又は生成された境界値テーブルを、吐出条件に
応じてハーフトーニング部の参照用に設定する境界値テーブル設定部と、
設定された境界値テーブルを参照して入力画像データを多値誤差拡散処理し、対応する
インク滴数に変換するハーフトーニング部と
を有することを特徴とする液体吐出装置。
【請求項１３】
多数発の液滴で１ピクセルを表現できる液体吐出ヘッドの情報保持部に、多値誤差拡散
用の境界値テーブルを選択する情報が吐出条件別に保存されているとき、吐出条件に合致
する情報を前記情報保持部から読み出す処理と、
読み出された情報に対応する境界値テーブルを、ハーフトーニング部の参照用に設定す
る処理と
をコンピュータに実行させるコンピュータプログラム。
【請求項１４】
多数発の液滴で１ピクセルを表現できる液体吐出ヘッドの情報保持部に、多値誤差拡散
用の一組の境界値が吐出条件別に保存されているとき、吐出条件に合致する一組の境界値
を前記情報保持部から読み出す処理と、
読み出された一組の境界値に基づいて境界値テーブルを生成する処理と、
生成された境界値テーブルをハーフトーニング部の参照用に設定する処理と
をコンピュータに実行させるコンピュータプログラム。
【請求項１５】
多数発の液滴で１ピクセルを表現できる液体吐出ヘッドの情報保持部に、多値誤差拡散
用の一組の境界値を決定するための情報が吐出条件別に保存されているとき、吐出条件に
合致する情報を前記情報保持部から読み出す処理と、
読み出された情報に基づいて多値誤差拡散用の一組の境界値を決定する処理と、
決定された一組の境界値に基づいて境界値テーブルを生成する処理と、
生成された境界値テーブルをハーフトーニング部の参照用に設定する処理と
をコンピュータに実行させるコンピュータプログラム。
【請求項１６】
多値誤差拡散用の境界値の決定に使用するテストパターン信号を吐出条件に応じて生成
し、多数発の液滴で１ピクセルを表現できる液体吐出ヘッドを直接駆動する処理と、
実際に形成されたテストパターンの濃度を光学的に読み取る処理と、
読み取られた濃度に基づいて選択された又は生成された境界値テーブルをハーフトーニ
ング部の参照用に設定する処理と
をコンピュータに実行させるコンピュータプログラム。